(57)【要約】【課題】建築物の構造体間に桟材を配置して断熱材等を垂れ下がりなく設置できる桟材の取付け具及びそれを利用した床用断熱材の支持構造を提供する。【解決手段】係止片部２０と、第１垂直片部２１と、第１垂直片部２１から水平方向に延出される押え片部２２と、押え片部２２の先端から垂下する第２垂直片部２３とを備え、押え片部２２の下面には桟材４０の端部上面に当接する凸部２４が形成され、第２垂直片部２３には桟材４０の端部が挿入される前方開口部２５が設けられ、該前方開口部２５の下辺２５ａと凸部２４の下端との水平方向に見たときの距離が桟材４０の上下方向厚さよりも短い桟材の取付け具１５を、床構造体１０の向かい合った位置に装着し、該取付け具１５に桟材４０の両端部をそれぞれ保持させて桟材４０を配設し、これらの桟材４０の上に断熱材５０を支持させる。【選択図】図１
2008156830.tif 000002
【特許請求の範囲】
【請求項１】
建築物の角材状の構造体に桟材の端部を保持させるための桟材の取付け具において、金属板を打ち抜き、折曲して形成されており、前記構造体の上面に係止される係止片部と、前記構造体の壁面に当接される第１垂直片部と、この第１垂直片部から水平方向に延出される押え片部と、この押え片部の先端から垂下する第２垂直片部とを備え、前記押え片部の下面には前記桟材の端部上面に当接する凸部が形成され、前記第２垂直片部には、前記桟材の端部が挿入される前方開口部が設けられており、該前方開口部の下辺と前記凸部の下端との水平方向に見たときの距離が、前記桟材の上下方向厚さよりも短くされており、前記桟材は、その端部を前記前方開口部に挿入され、前記桟材の挿入部の下面を前記前方開口部の下辺に支持され、該挿入部の上面に前記押え片部の凸部が当接した状態で支持されることを特徴とする桟材の取付け具。
【請求項２】
前記押え片部は、前記第１垂直片部の一側から他側に至る途中までの幅で延出されており、前記第１垂直片部の他側部分は、前記押え片部よりも所定長さ下方に延出された後、前記押え片部と平行に水平方向に延出されて、前記前方開口部の下辺の一側に連結された連結片部をなし、前記押え片部と前記連結片部との間に、前記前方開口部に連続する側方開口部が設けられている請求項１記載の桟材の取付け具。
【請求項３】
前記前方開口部の下辺と前記凸部の下端との水平方向に見たときの距離が、前記桟材の上下方向厚さよりも０．１〜１ｍｍ短い請求項１又は２に記載の桟材の取付け具。
【請求項４】
使用前の状態において、前記係止片部は、前記第１垂直片部と同一の平面をなし、前記係止片部と前記第１垂直片部との間に、溝及び／又は孔からなる折り曲げ線が所定間隔で複数本平行に形成されている請求項１〜３のいずれか一つに記載の桟材の取付け具。
【請求項５】
前記係止片部には、前記構造体の上面に食い込ませるための下方に突出する係合爪が切り起こし状に形成されている請求項１〜４のいずれか１つに記載の桟材の取付け具。
【請求項６】
前記請求項１〜５のいずれか１つに記載の桟材の取付け具を、所定間隔をあけて水平に配置されている角材状の床構造体の向かい合った位置に、該床構造体の長さ方向に沿って所定間隔で複数装着し、向かい合って配置された前記桟材の取付け具に、桟材の両端部をそれぞれ保持させて複数本の桟材を配設し、これらの桟材の上に断熱材を支持させたことを特徴とする床用断熱材の支持構造。
【発明の詳細な説明】
【技術分野】
【０００１】
本発明は、建築物の角材状の構造体に桟材の端部を保持させるための取付け具、及びこの取付け具で保持された桟材で支持した床用断熱材の支持構造に関する。
【背景技術】
【０００２】
近年、省エネルギー及び居住の快適性の観点から、断熱施工が行われており、建物の床、壁、天井、屋根下地部に断熱材を敷設することが普及している。例えば、住宅等の床下の断熱施工においては、大引き等の床構造体の間に、グラスウール等の板状の断熱材を配置している。
【０００３】
一般に、住宅の床は、図１９に示すように、基礎１の上に土台３ａを配し、あるいは、束２の上に適当な間隔を開けて水平に大引き３ｂを配置し、その上に根太４を並べその根太４の上に床材（図示せず）を配置する構造となっている（以下、土台３ａ及び大引き３ｂを合わせて床構造体５と記す）。そして、床構造体５、５の間や、根太４、４の間に断熱材を配置する。また、近年は、根太４を省き、床構造体５に直接厚い床板を配置する“剛床”と呼ばれる工法も普及しており、この場合にもやはり床構造体５、５の間に断熱材を配置している。
【０００４】
床構造体５、５の間に断熱材を配置するには、例えば、図２０に示すように、床構造体５、５のそれぞれ向かい合った側面５ａに、受け具６を固定し、受け具６の受け面６ａに断熱材７の端部をそれぞれ保持させて床構造体５、５間に断熱材７を配置する方法や、例えば、図２１に示すように、受け具６を床構造体５の上面５ｂ及び側面５ａに当接させて固定し、受け具６の受け面６ａに断熱材７の端部をそれぞれ保持させて床構造体５、５間に断熱材７を配置する方法等が広く行われている。
【０００５】
しかしながら、断熱材７は、その両端部のみが受け具６で支持されるため、断熱材７の中央部近傍が自重によって垂れ下がってしまう。このため、断熱材７と床板との間に空隙が生じ、断熱欠損や結露が生じやすいという問題があった。
【０００６】
このような、断熱材７の垂れ下がりを防止するため、例えば、特許文献１には、床構造体の上面に乗せる支持部と、該支持部の一端から直角方向の下方に延びる壁部と、該壁部の下端からほぼ直角方向にかつ前記支持部とは反対側に延びる受け部とを備えた一対の桟材の取付け具を対向する床構造体に配設し、この取付け具からの落下防止用のリブを両端に有する桟材を、前記一対の取付け具の受け部に設けたスリットに上記リブを挿入することによって、その両端を保持させた断熱材の支持構造が開示されている。
【０００７】
また、特許文献２には、差し込み孔を穿設した支持片と、この支持片の一端から上方に突出する垂直片と、この垂直片の上端から支持片と反対側に突出した床構造体への係止部となる係止片とを備えた一対の桟材の取付け具を、対向する床構造体に配設し、この取付け具の差し込み孔に桟材を挿入してなる断熱材の支持構造が開示されている。
【特許文献１】特開２００３−３２１９２９号公報
【特許文献２】特開平７−５４４７４号公報
【発明の開示】
【発明が解決しようとする課題】
【０００８】
しかしながら、上記特許文献１に記載された桟材は、形状が複雑なものであり、加工に手間がかかる。このため、材料コストを要するものであった。また、上記桟材は、破損ないし変形しやすい形状であり、輸送性、取り扱い性においても不都合があった。
【０００９】
また、上記特許文献２に記載された床用断熱材の支持構造においては、桟材や、桟材の差し込み孔にかかる負荷が大きい。そのため、柔軟性に欠ける桟材を用いた場合には、桟材取付け具の差し込み孔や、桟材にかかる負荷が大きくなり、桟材の取付け具が変形ないし破損したり、桟材が変形ないし破損したりする虞れがあった。また、桟材として、柔軟性を有するものを用いた場合には、桟材を長尺にするにつれて撓みが生じやすくなり、断熱材等の重さに耐え切れず、下方向に撓みやすかった。このため、断熱材の種類や、床構造体の設置間隔などによっては、床板と断熱材との間に空隙が生じる場合があった。
【００１０】
したがって、本発明の目的は、建築物の構造体間に桟材を配置して断熱材等を垂れ下がりなく設置できる桟材の取付け具及びそれを利用した床用断熱材の支持構造を提供することにある。
【課題を解決するための手段】
【００１１】
上記目的を達成するため、本発明の桟材の取付け具は、建築物の角材状の構造体に桟材の端部を保持させるための桟材の取付け具において、金属板を打ち抜き、折曲して形成されており、前記構造体の上面に係止される係止片部と、前記構造体の壁面に当接される第１垂直片部と、この第１垂直片部から水平方向に延出される押え片部と、この押え片部の先端から垂下する第２垂直片部とを備え、前記押え片部の下面には前記桟材の端部上面に当接する凸部が形成され、前記第２垂直片部には、前記桟材の端部が挿入される前方開口部が設けられており、該前方開口部の下辺と前記凸部の下端との水平方向に見たときの距離が、前記桟材の上下方向厚さよりも短くされており、前記桟材は、その端部を前記前方開口部に挿入され、前記桟材の挿入部の下面を前記前方開口部の下辺に支持され、該挿入部の上面に前記押え片部の凸部が当接した状態で支持されることを特徴とする。
【００１２】
上記本発明の桟材の取付け具によれば、前方開口部を通して桟材の端部を挿入すると、桟材の挿入部の下面が前方開口部の下辺に支持され、桟材の挿入部の上面に押え片部の凸部が当接することにより、桟材の中央部が上向きになるような角度で桟材の端部が保持される。その結果、桟材の中央部が下方に撓むことが防止され、桟材の上に断熱材等を載せたときに、断熱材等が中央部で下方に湾曲して床面等との間に隙間が生じるのを防ぐことができる。
【００１３】
また、前記押え片部は、前記第１垂直片部の一側から他側に至る途中までの幅で延出されており、前記第１垂直片部の他側部分は、前記押え片部よりも所定長さ下方に延出された後、前記押え片部と平行に水平方向に延出されて、前記前方開口部の下辺の一側に連結された連結片部をなし、前記押え片部と前記連結片部との間に、前記前方開口部に連続する側方開口部が設けられていることが好ましい。この態様によれば、桟材の端部を側方開口部を通して前方開口部に挿入することができるので、桟材の取付けが容易になる。また、第２垂直片部の前方開口部の下辺の一側が、連結片部によって第１垂直片部と連結され、第２垂直片部の、構造体の壁面方向への屈曲を防止するので、桟材の端部を保持させたとき、桟材の中央部を上向きにする力をより向上できる。
【００１４】
また、前記前方開口部の下辺と前記凸部の下端との水平方向に見たときの距離が、前記桟材の上下方向厚さよりも０．１〜１ｍｍ短いことが好ましい。この態様によれば、桟材の端部を保持させたとき、桟材の中央部を上向きにする力をより向上できる。
【００１５】
また、使用前の状態において、前記係止片部は、前記第１垂直片部と同一の平面をなし、前記係止片部と前記第１垂直片部との間に、溝及び／又は孔からなる折り曲げ線が所定間隔で複数本平行に形成されていることが好ましい。この態様によれば、桟材の上に載せる断熱材等の厚さに応じて、第１垂直片部に対して係止片部を屈曲させる位置を変更できるので、適用範囲を広げることができる。
【００１６】
また、前記係止片部には、前記構造体の上面に食い込ませるための下方に突出する係合爪が切り起こし状に形成されていることが好ましい。この態様によれば、係止片部を構造体の上面に当接させて、ハンマー等で叩いて係合爪を構造体に食い込ませるだけで、取付け具を構造体に装着することができる。
【００１７】
一方、本発明の床用断熱材の支持構造は、上記取付け具を、所定間隔をあけて水平に配置されている角材状の床構造体の向かい合った位置に、該床構造体の長さ方向に沿って所定間隔で複数装着し、向かい合って配置された前記取付け具に桟材の両端部をそれぞれ保持させて複数本の桟材を配設し、これらの桟材の上に断熱材を支持させたことを特徴とする。
【００１８】
上記本発明の床用断熱材の支持構造によれば、桟材を容易に取付けることができ、しかも桟材の中央部が下方に撓まないので、断熱材を床面の下面に密接させて配設することができる。
【発明の効果】
【００１９】
本発明によれば、桟材の中央部が上向きになるような角度で桟材の端部を保持できるので、桟材の中央部が下方に撓むことが防止でき、桟材の上に断熱材等を載せたときに、断熱材等が中央部で下方に湾曲して床面等との間に隙間が生じるのを防ぐことができる。
【発明を実施するための最良の形態】
【００２０】
以下、図面を用いて本発明の桟材の取付け具について説明する。
【００２１】
図１〜３は、本発明による桟材の取付け具の第１の実施形態であって、図１は、同桟材の取付け具の使用状態を示す斜視図であり、図２は、同桟材の取付け具の使用前の状態を示す斜視図であり、図３は、同桟材の取付け具の使用状態を示す断面図である。
【００２２】
図１に示すように、この桟材の取付け具１５は、建築物の角材状の構造体（以下、「建築物構造体１０」と記す）の上面１０ａに係止される係止片部２０と、建築物構造体１０の壁面１０ｂに当接させる第１垂直片部２１と、第１垂直片部２１から水平方向に延出される押え片部２２と、押え片部２２の先端から垂下する第２垂直片部２３とを備えている。
【００２３】
なお、図２に示すように、使用前の状態においては、係止片部２０が第１垂直片部２１に対して折り曲げられておらず、係止片部２０と、第１垂直片部２１とが、同一の平面をなしている。そして、係止片部２０と第１垂直片部２１との間には、溝２６ａと孔２６ｂとからなる折り曲げ線２６が、所定間隔で複数本（この実施形態では３本）平行に設けられている。後述するように、使用時に断熱材の厚さに応じて、最も適合する折り曲げ線２６を選択して、その部分で係止片部２０を第１垂直片部２１に対して折り曲げるようになっている。
【００２４】
図３を併せて参照すると、押え片部２２には、下方に突出した凸部２４が複数（この実施形態では２個）設けられている。凸部２４は、後述するように、桟材４０を挿入したときに、桟材の上面に当接する部分となる。
【００２５】
第２垂直片部２３には、桟材４０の端部を挿入させる、ほぼ長方形状の前方開口部２５が設けられている。そして、前方開口部２５の下辺と、凸部２４の下端との水平方向に見たときの距離Ｔ１が、挿入する桟材４０の上下方向厚さＴ２よりも短くなっている。
【００２６】
係止片部２０には、建築物構造体１０の上面１０ａに食い込ませるための下方に突出する係合爪２８が切り起こし状に形成されている。係合爪２８は、複数設けられることが好ましく、この実施形態では、３個形成されている。
【００２７】
この桟材の取付け具１５は、例えば鋼板、ステンレス鋼板、各種メッキ鋼板等の金属板を、金型等で打ち抜き、折曲させて形成することができる。
【００２８】
桟材の取付け具１５の板厚Ｔ３は、０．３〜１．５ｍｍが好ましく、０．４〜１．０ｍｍがより好ましい。板厚Ｔ３が０．３ｍｍ未満であると、強度的に劣り、断熱材や桟材４０の重量によって第２垂直片部２３等が撓んだりして、桟材４０をしっかり保持できなくなる虞れがあり、１．５ｍｍを超えると、建築物構造体１０上に、例えば、床板などを施工した場合、床板面の不陸や、床鳴り等が生じる場合がある。
【００２９】
前方開口部２５の下辺２５ａと、凸部２４の下端との水平方向に見たときの距離Ｔ１は、桟材４０の上下方向厚さＴ２よりも０．１〜１．０ｍｍ短いことが好ましく、０．３〜０．６ｍｍ短いことがより好ましい。上記Ｔ１とＴ２との差が０．１ｍｍ未満であると、桟材４０の中央部を上向きにする力が不十分な場合があり、１．０ｍｍを超えると、第２垂直片部２３が変形したりするおそれがある。
【００３０】
また、押え片部２２の先端と、凸部２４との間の距離Ｄ１は、７〜３０ｍｍが好ましく、８〜１５ｍｍがより好ましい。
【００３１】
更に、図１において、桟材の取付け具１５の前方開口部２５の横幅Ｗ１は、挿入させる桟材４０の横幅Ｗ２よりも、０〜１５ｍｍ大きいことが好ましく、２〜１０ｍｍ大きいことがより好ましい。
【００３２】
桟材の取付け具１５の前方開口部２５の縦幅Ｈ１は、挿入させる桟材４０の厚みＴ２よりも、０〜２ｍｍ大きいことが好ましく、０．５〜１ｍｍ大きいことがより好ましい。
【００３３】
使用時において、第１垂直片部２１の高さＨ２（図１）は、使用する断熱材５０の厚さＴ４（図３）より、１〜２ｍｍ低いことが好ましい。これにより、例えば、建築物構造体１０の上部に取付けられる床板と、断熱材５０との間の隙間を小さくでき、結果として断熱性の低下を抑制することができる。
【００３４】
凸部２４の形状は、特に限定されず、円形、四角形、楕円形等の形状が挙げられる。また、取付け具１５の板厚Ｔ３が厚い場合等においては、図４に示すように、押え片部２２の一部を切り起こして下方に突出させてもよい。
【００３５】
次に、この桟材の取付け具１５を用いた、本発明による床用断熱材の支持構造の一実施形態について説明する。
【００３６】
まず、使用する断熱材の厚さＴ４に応じて選択した折り曲げ線２６を折り曲げ、第１垂直片部２１に対して係止片部２０を直角に形成する。
【００３７】
そして、図５（ａ）に示すように、一対の床構造体１０、１０の向かい合った位置に桟材の取付け具１５をそれぞれ取付ける。この際、図１、３に示すように、床構造体１０の壁面１０ｂに第１垂直片部２１を当接させ、上面１０ａに係止片部２０を当接させて、係止片部２０の上面をハンマー等で叩いて係合爪２８を床構造体１０に食い込ませることにより、取付け具１５を簡単に固定することができる。
【００３８】
こうして対向して取付けた一対の取付け具１５を床構造体１０の長手方向に沿って所定間隔で複数配置する。なお、桟材４０が床構造体１０、１０間の距離Ｌよりも長い場合においては、例えば、図５（ｂ）に示すように、一対の桟材の取付け具１５を、対向する位置から所定距離Ｐ１、スライド移動させた位置に配置してもよい。
【００３９】
次に、対応する一対の取付け具１５の前方開口部２５に、桟材４０の両端部を挿入し、桟材４０を取付け具１５によって支持させる。このとき、図３に示すように、桟材４０の挿入部の下面は、前方開口部２５の下辺２５ａに支持され、桟材４０の挿入部の上面は、押え片部２２の凸部２４に当接するので、桟材４０は、中央部が上向きになるような角度で保持される。その結果、保持する桟材４０の中央部が下方に撓みにくくなり、桟材４０の上に断熱材５０等を載せたときに、断熱材５０等が中央部で下方に湾曲して床面等との間に隙間が生じるのを防ぐことができる。
【００４０】
なお、前方開口部２５の横幅Ｗ１が、前方開口部２５に挿入する桟材４０の横幅Ｗ２とほぼ同等であるような場合には、取付け具１５を構造体１０に予め取付けてしまうと桟材４０の両端部を前方開口部２５に挿入できなくことがあるので、その場合には、取付け具１５を床構造体１０に取付けるに先立って、桟材４０を桟材の取付け具１５に挿入してから取付ける。
【００４１】
その後、図６に示すように、桟材４０の上に、断熱材５０を設置することで、本発明の床用断熱材の支持構造とすることができる。
【００４２】
このように、本発明の床用断熱材の支持構造は、中央部が上方に湾曲するように支持された桟材４０によって、断熱材５０が支持されるので、断熱材５０の幅方向の中央部が自重で垂れ下がることがなく、床材と断熱材との隙間を極力小さくすることができ、それによって断熱欠損や結露の発生を無くすことができる。
【００４３】
本発明の床用断熱材の支持構造において、桟材４０は、特に限定されないが、金属、プラスチック、木材、硬質ダンボール等からなる板状、角パイプ状などが挙げられ、平行な２面を有する４辺形の断面形状を有するものが好ましい。図７（ａ）〜（ｆ）に桟材４０の断面形状の一例を示す。また、桟材４０の寸法は、特に限定は無い。例えば板状の木材の場合には、厚さ６〜２０ｍｍ、幅９〜５０ｍｍが好ましい。また、金属製の各パイプの場合には、厚さ６〜２０ｍｍ、幅９〜５０ｍｍが好ましい。また、板状のプラスチックの場合には、厚さ９〜３０ｍｍ、幅９〜５０ｍｍが好ましい。
【００４４】
また、本発明の床用断熱材の支持構造において、上記断熱材５０としては、特に限定はなく、例えば、グラスウールやロックウール等の無機繊維からなるマット状又はボード状の断熱材、ポリエチレン、ポリスチレン、ウレタンなどの発泡ボードなどが挙げられる。特に本発明の支持構造においては、無機繊維系の断熱材を用いる場合に、断熱材の中央部の撓みを小さくすることができる。そして、断熱材５０の厚さは、住宅の断熱レベルや断熱材の材質によって任意の厚さを選ぶことができ、床用断熱材としては、一般的には、厚さ２５ｍｍ、３５ｍｍ、４２ｍｍのものが広く用いられている。
【００４５】
図８〜１６には、本発明による桟材の取付け具の第２実施形態が示されている。図８は、同桟材の取付け具の使用前の状態の斜視図であり、図９は、同桟材の取付け具の展開図であり、図１０は、同桟材の取付け具の使用状態の斜視図であり、図１１は、同桟材の取付け具の使用状態の平面図であり、図１２は、同桟材の取付け具の使用状態の正面図であり、図１３は、同桟材の取付け具の使用状態の底面図であり、図１４は、同桟材の取付け具の使用状態の背面図であり、図１５は、同桟材の取付け具の使用状態の右側面図であり、図１６は、同桟材の取付け具の使用状態の左側面図である。なお、この取付け具の外観として特徴となる部分は、図１２の一点鎖線の矢印Ａ−Ａで示される下方部分である。
【００４６】
この桟材の取付け具１５ａは、前記実施形態と同様に、構造体の上面に係止される係止片部２０と、構造体の壁面に当接される第１垂直片部２１と、この第１垂直片部から水平方向に延出される押え片部２２と、この押え片部２２の先端から垂下する第２垂直片部２３とを備えている。また、押え片部２２の下面には桟材の端部上面に当接する凸部２４が形成され、第２垂直片部２３の前面には前方開口部２５が形成されている。また、凸部２４は、前記実施形態と同様に、円形、四角形、楕円形等の形状や、図１７に示すように、取付け具１５の板厚Ｔ３が厚い場合等においては、押え片部２２の一部を切り起こして下方に突出させてもよい。
【００４７】
ただし、この取付け具１５ａは、次の点で前記実施形態と異なっている。すなわち、押え片部２２が、第１垂直片部２１の一側から他側に至る途中までの幅Ｗ３（図１０）で延出されている。また、幅Ｗ４（図１０）で示される第１垂直片部２１の他側部分は、押え片部２２よりも所定長さ下方に延出された後、押え片部２２と平行に水平方向に延出されて、前方開口部２５の下辺の一側に連結された連結片部２７をなし、押え片部２２と連結片部２７との間に、前方開口部２５に連続する側方開口部２９が設けられている。
【００４８】
この実施形態において、側方開口部２９の縦幅Ｈ３（図１０）は、挿入させる桟材４０の厚みより大きく、かつ、開口部２５の縦幅Ｈ１（図１０）よりも０．１〜０．５ｍｍ短いことが好ましい。これによれば、連結片部２７と前方開口部２５の下辺２５ａとの間に段差が生じることとなり、桟材４０の側部が該段差に引き掛かるので、桟材４０の横ズレなどを防止できる。
【００４９】
この桟材の取付け具１５ａは、例えば、図９のように打ち抜いた金属板の、Ａ−Ａ間、Ｂ−Ｂ間、Ｃ−Ｃ間、Ｄ−Ｄ間を、それぞれ９０°折曲させることで形成できる。
【００５０】
図１８に示すように、この桟材の取付け具１５ａにおいても、適用される断熱材の厚さに応じて選択された折り曲げ線２６を折り曲げ、床構造体１０の壁面１０ｂに第１垂直片部２１を当接させ、上面１０ａに係止片部２０を当接させて、係止片部２０の上面をハンマー等で叩いて係合爪２８を床構造体１０に食い込ませることにより、取付け具１５を簡単に固定することができる。
【００５１】
こうして、一対の床構造体１０の対向する箇所に取付けた一対の取付け具１５ａを、床構造体１０の長手方向に沿って所定間隔で複数配置する。この状態で、桟材４０の両端部を対向する一対の取付け具１５ａにそれぞれ保持させるのであるが、この実施形態では、図１８の想像線で示すように、桟材４０の端部を、取付け具１５ａの側方開口部２９を通して前方開口部２５に挿入できるので、桟材４０の取付けを容易に行うことができる。
【００５２】
そして、桟材４０の端部を前方開口部２５に挿入すると、前述したように、連結片部２７と前方開口部２５の下辺２５ａとの間の段差に、桟材４０の側部が引き掛かるので、桟材４０の横ズレが防止される。
【００５３】
また、第２垂直片部２３の前方開口部２５の下辺２５ａの一側が、連結片部２７によって第１垂直片部２１と連結されているので、第２垂直片部２３の、建築物構造体１０の壁面１０ｂ方向への屈曲を防止できる。このため、桟材４０の端部を保持させたとき、桟材４０の中央部を上向きにする力をより向上できる。
【実施例】
【００５４】
以下、実施例を挙げて本発明を更に詳細に説明するが、本発明はこれに限定されるものではない。
【００５５】
（実施例１）
厚さ（Ｔ３）０．６ｍｍの鋼板を成形加工して得られた、図１０〜１６に示す桟材取付け具１５（Ｗ１：２６ｍｍ、Ｗ３：３４ｍｍ、Ｗ４：１２ｍｍ、Ｈ１：１３ｍｍ、Ｈ２：４２ｍｍ、Ｈ３：１２．５ｍｍ、Ｔ１：１１．５ｍｍ、Ｄ１：９ｍｍ）を、図１８に示すように、Ｌ＝８０５ｍｍの床構造体１０、１０に、Ｐ＝７００ｍｍの間隔で、３組取付けた。
【００５６】
そして、桟材４０（厚さ（Ｔ２）：１２ｍｍ、幅（Ｗ２）：２０ｍｍ、長さ：８００ｍｍの合板）を、図１８に示すように、水平方向に旋回するようにして、桟材の取付け具１５の側方開口部２８を通して前方開口部２５に挿入した。この時点で桟材中央部の撓みは１ｍｍ以下であり、ほとんど撓みが認められなかった。
【００５７】
次いで、この桟材４０上に、グラスウール断熱材５０（密度：３２ｋｇ/ｍ３、厚さ（Ｔ４）：４２ｍｍ、幅：８０５ｍｍ、長さ：１７１５ｍｍ）を両端の距離が等しくなるようにして載せた。
【００５８】
この取付け具により支持されたグラスウール断熱材の桟材間中央部（図１８のＡ点）の初期撓みは１ｍｍ以下であり、１ヶ月経過後の撓みも１ｍｍ以下であった。また、該断熱材の長さ方向端部（図１８のＢ点）の１ヶ月経過後の撓みも１ｍｍ以下であった。
【図面の簡単な説明】
【００５９】
【図１】本発明の桟材の取付け具の第１の実施形態であって、その使用状態を示す斜視図である。
【図２】同桟材の取付け具の使用前の状態を示す斜視図である。
【図３】同桟材の取付け具の使用状態を示す断面図である。
【図４】同桟材の取付け具の使用前の状態を示す斜視図の変形例である。
【図５】第１の実施形態の桟材の取付け具の取付け例を示す平面図である。
【図６】本発明の床用断熱材の支持構造の正面図である。
【図７】桟材の一例を示す断面図である。
【図８】本発明の桟材の取付け具の第２の実施形態であって、使用前の状態の斜視図である。
【図９】同桟材の取付け具の展開図である。
【図１０】同桟材の取付け具の使用の状態の斜視図である。
【図１１】同桟材の取付け具の使用状態の平面図である。
【図１２】同桟材の取付け具の使用状態の正面図である。
【図１３】同桟材の取付け具の使用状態の底面図である。
【図１４】同桟材の取付け具の使用状態の背面図である。
【図１５】同桟材の取付け具の使用状態の右側面図である。
【図１６】同桟材の取付け具の使用状態の左側面図である。
【図１７】同桟材の取付け具の使用前の状態を示す斜視図の変形例である。
【図１８】第２の実施形態の桟材の取付け具の取付け例を示す平面図である。
【図１９】床下構造を示す概略斜視図である。
【図２０】従来の床用断熱材の支持構造を示す断面図である。
【図２１】従来の他の床用断熱材の支持構造を示す断面図である。
【符号の説明】
【００６０】
１：基礎
２：束
４：根太
５、１０：構造体（床構造体）
６：受け具
７、５０：断熱材
１０：建築物構造体
１５、１５ａ：桟材の取付け具
２０：係止片部
２１：第１垂直片部
２２：押え片部
２３：第２垂直片部
２４：凸部
２５：前方開口部
２６：折り曲げ線
２６ｂ：孔
２６ａ：溝
２７：連結片部
２８：係合爪
２９：側方開口部
４０：桟材
【図１】
2008156830.tif 000003
【図２】
2008156830.tif 000004
【図３】
2008156830.tif 000005
【図４】
2008156830.tif 000006
【図５】
2008156830.tif 000007
【図６】
2008156830.tif 000008
【図７】
2008156830.tif 000009
【図８】
2008156830.tif 000010
【図９】
2008156830.tif 000011
【図１０】
2008156830.tif 000012
【図１１】
2008156830.tif 000013
【図１２】
2008156830.tif 000014
【図１３】
2008156830.tif 000015
【図１４】
2008156830.tif 000016
【図１５】
2008156830.tif 000017
【図１６】
2008156830.tif 000018
【図１７】
2008156830.tif 000019
【図１８】
2008156830.tif 000020
【図１９】
2008156830.tif 000021
【図２０】
2008156830.tif 000022
【図２１】
2008156830.tif 000023